(57)【要約】【課題】製造コストを低減することのできるブラシ体およびこれを備える歯ブラシを提供する。【解決手段】ブラシ体は、植毛台４２に設けられた複数の挿入孔４２Ｂにブリッスル束４１がそれぞれ挿通されている。挿入孔４２Ｂには、挿入孔４２Ｂを構成する内周面４２Ｅとの間でブリッスル束４１を挟むことにより、植毛台４２に対してブリッスル束４１を保持するための挿入栓４３が挿入されている。【選択図】図２
2012000150.tif 000002
【特許請求の範囲】
【請求項１】
植毛台と、この植毛台に設けられたブリッスル束を有するブラシ体において、
前記植毛台には、この植毛台を貫通するとともに前記ブリッスル束を挿入するための挿入孔が設けられ、
前記挿入孔には、前記挿入孔を構成する内周面との間で前記ブリッスル束を挟むことにより前記植毛台に対して前記ブリッスル束を保持するための挿入栓が挿入される
ことを特徴とするブラシ体。
【請求項２】
請求項１に記載のブラシ体において、
前記植毛台の植毛面に対して前記ブリッスル束が突出する方向を表方向とし、この表方向とは反対方向を裏方向として、
前記ブリッスル束は前記植毛台よりも前記裏方向に突出し、
前記ブリッスル束の前記植毛台よりも前記裏方向に突出する部位を固定する固定部が設けられ、
前記固定部は、前記ブリッスル束の部位の少なくとも一部を樹脂材料にて一体的に成形するものである
ことを特徴とするブラシ体。
【請求項３】
請求項１または２に記載のブラシ体において、
前記植毛台の植毛面に対して前記ブリッスル束が突出する方向を表方向とし、この表方向とは反対方向を裏方向として、
前記挿入孔を構成する内周面には、前記植毛台の前記裏方向に向かうにつれて拡径するテーパ部が設けられる
ことを特徴とするブラシ体。
【請求項４】
請求項１〜３のいずれか一項に記載のブラシ体において、
前記植毛台の植毛面に対して前記ブリッスル束が突出する方向を表方向とし、この表方向とは反対方向を裏方向として、
前記挿入栓には、前記裏方向に向かうにつれて拡径するテーパ部が設けられる
ことを特徴とするブラシ体。
【請求項５】
請求項１〜４のいずれか一項に記載のブラシ体において、
前記植毛台の植毛面に対して前記ブリッスル束が突出する方向を表方向とし、この表方向とは反対方向を裏方向とし、前記挿入孔に対して前記挿入栓が挿入される方向を挿入方向として、
前記挿入孔を構成する内周面には、前記挿入方向に沿ったストレート部が設けられる
ことを特徴とするブラシ体。
【請求項６】
請求項１〜５のいずれか一項に記載のブラシ体において、
前記植毛台の植毛面に対して前記ブリッスル束が突出する方向を表方向として、
前記挿入栓は、前記植毛台の植毛面よりも前記表方向に向けて突出している
ことを特徴とするブラシ体。
【請求項７】
請求項１〜６のいずれか一項に記載のブラシ体において、
前記植毛台の植毛面に対して前記ブリッスル束が突出する方向を表方向とし、この表方向とは反対方向を裏方向として、
前記植毛台を前記裏方向から覆う背面カバーと、この背面カバーに取り付けられるとともに前記植毛台と前記ブリッスル束とを含むブラシ基台部とを含み、
前記ブラシ基台部は、前記背面カバーとは各別の部材にて形成される
ことを特徴とするブラシ体。
【請求項８】
請求項１〜６のいずれか一項に記載のブラシ体において、
前記植毛台の植毛面に対して前記ブリッスル束が突出する方向を表方向とし、この表方向とは反対方向を裏方向として、
前記ブリッスル束は前記植毛台よりも裏方向に突出し、
前記ブリッスル束の前記植毛台よりも裏方向に突出する部位を固定する固定部と、前記植毛台の前記裏方向を覆う背面カバーとを含み、
前記背面カバーは、前記固定部を兼ねる
ことを特徴とするブラシ体。
【請求項９】
請求項１〜８のいずれか一項に記載のブラシ体において、
前記植毛台の植毛面に対して前記ブリッスル束が突出する方向を表方向とし、この表方向とは反対方向を裏方向として、
前記ブリッスル束を構成するブリッスルは、導電性を有する芯部と電気絶縁性を有する被覆部とを含み、前記芯部が前記被覆部により被覆され、前記芯部の端部が前記被覆部から突出している
ことを特徴とするブラシ体。
【請求項１０】
請求項９に記載のブラシ体を備える歯ブラシにおいて、
使用者が把持するための把持本体部に電池が設けられ、
この電池は前記芯部に電流を供給する
ことを特徴とする歯ブラシ。
【請求項１１】
請求項１０に記載の歯ブラシにおいて、
前記植毛台および前記ブリッスル束を含むヘッド部と、使用者が把持するための把持本体部と、前記ヘッド部を振動するための振動アクチュエータを含む
ことを特徴とする歯ブラシ。
【発明の詳細な説明】
【技術分野】
【０００１】
本発明は、植毛台と、この植毛台に設けられたブリッスル束とを有するブラシ体およびこれを備える歯ブラシに関する。
【背景技術】
【０００２】
上記ブラシ体として、例えば特許文献１に記載の歯ブラシが知られている。
この歯ブラシでは、次のように毛束（ブリッスル束）を植毛台に固定する。すなわち、毛束を毛束保持具に複数個保持されるとともに全部の毛束の基端部に温度制御されたヒータを備える熱板を押し当てる。これにより、各毛束の基端部に焼玉が形成される。その後、歯ブラシ用金型を用いて、植毛台を毛束と一体的に成形する。
【先行技術文献】
【特許文献】
【０００３】
【特許文献１】特開２００３−９９４７号公報
【発明の概要】
【発明が解決しようとする課題】
【０００４】
ところで、このように全部の毛束の基端部に焼玉を形成する場合には、焼玉が過度に大きくなることを防ぐため、各毛束の基端部を均等に加熱する必要がある。そのため、熱板の温度制御および加熱時間制御には非常に高度な技術が要求されるため、歯ブラシの製造コストが高くなる。このような問題は、歯ブラシに限定されず、毛束（ブリッスル束）および植毛台を有する製品であれば同様に生じる。
【０００５】
本発明は、このような実情に鑑みてなされたものであり、その目的は、製造コストを低減することのできるブラシ体およびこれを備える歯ブラシを提供することにある。
【課題を解決するための手段】
【０００６】
本発明のブラシ体は、植毛台と、この植毛台に設けられたブリッスル束を有し、前記植毛台には、この植毛台を貫通するとともに前記ブリッスル束を挿入するための挿入孔が設けられ、前記挿入孔には、前記挿入孔を構成する内周面との間で前記ブリッスル束を挟むことにより前記植毛台に対して前記ブリッスル束を保持するための挿入栓が挿入されることを特徴とする。
【０００７】
このブラシ体は、前記植毛台の植毛面に対して前記ブリッスル束が突出する方向を表方向とし、この表方向とは反対方向を裏方向として、前記ブリッスル束は前記植毛台よりも前記裏方向に突出し、前記ブリッスル束の前記植毛台よりも前記裏方向に突出する部位を固定する固定部が設けられ、前記固定部は、前記ブリッスル束の部位の少なくとも一部を樹脂材料にて一体的に成形するものであることが好ましい。
【０００８】
このブラシ体は、前記植毛台の植毛面に対して前記ブリッスル束が突出する方向を表方向とし、この表方向とは反対方向を裏方向として、前記挿入孔を構成する内周面には、前記植毛台の前記裏方向に向かうにつれて拡径するテーパ部が設けられることが好ましい。
【０００９】
このブラシ体は、前記植毛台の植毛面に対して前記ブリッスル束が突出する方向を表方向とし、この表方向とは反対方向を裏方向として、前記挿入栓には、前記裏方向に向かうにつれて拡径するテーパ部が設けられることが好ましい。
【００１０】
このブラシ体は、前記植毛台の植毛面に対して前記ブリッスル束が突出する方向を表方向とし、この表方向とは反対方向を裏方向とし、前記挿入孔に対して前記挿入栓が挿入される方向を挿入方向として、前記挿入孔を構成する内周面には、前記挿入方向に沿ったストレート部が設けられることが好ましい。
【００１１】
このブラシ体は、前記植毛台の植毛面に対して前記ブリッスル束が突出する方向を表方向として、前記挿入栓は、前記植毛台の植毛面よりも前記表方向に向けて突出していることが好ましい。
【００１２】
このブラシ体は、前記植毛台の植毛面に対して前記ブリッスル束が突出する方向を表方向とし、この表方向とは反対方向を裏方向として、前記植毛台を前記裏方向から覆う背面カバーと、この背面カバーに取り付けられるとともに前記植毛台と前記ブリッスル束とを含むブラシ基台部とを含み、前記ブラシ基台部は、前記背面カバーとは各別の部材にて形成されることが好ましい。
【００１３】
このブラシ体は、前記植毛台の植毛面に対して前記ブリッスル束が突出する方向を表方向とし、この表方向とは反対方向を裏方向として、前記ブリッスル束は前記植毛台よりも裏方向に突出し、前記ブリッスル束の前記植毛台よりも裏方向に突出する部位を固定する固定部と、前記植毛台の前記裏方向を覆う背面カバーとを含み、前記背面カバーは、前記固定部を兼ねることが好ましい。
【００１４】
このブラシ体は、前記植毛台の植毛面に対して前記ブリッスル束が突出する方向を表方向とし、この表方向とは反対方向を裏方向として、前記ブリッスル束を構成するブリッスルは、導電性を有する芯部と電気絶縁性を有する被覆部とを含み、前記芯部が前記被覆部により被覆され、前記芯部の端部が前記被覆部から突出していることが好ましい。
【００１５】
このブラシ体は、使用者が把持するための把持本体部に電池が設けられ、この電池は前記芯部に電流を供給することが好ましい。
このブラシ体は、前記植毛台および前記ブリッスル束を含むヘッド部と、使用者が把持するための把持本体部と、前記ヘッド部を振動するための振動アクチュエータを含むことが好ましい。
【発明の効果】
【００１６】
本発明によれば、製造コストを低減することのできるブラシ体およびこれを備える歯ブラシを提供することができる。
【図面の簡単な説明】
【００１７】
【図１】本発明の第１実施形態のブラシ体について、これを備える歯ブラシの断面構造を模式的に示す断面図。
【図２】同実施形態の歯ブラシについて、（ａ）はヘッド部の拡大構造を示す断面図、（ｂ）はブリッスル束の裏方向の端部周辺の拡大構造を示す断面図、（ｃ）は（ｂ）の矢視Ａから見たブリッスル束およびその周辺の平面構造を示す平面図。
【図３】同実施形態の歯ブラシの製造工程について、（ａ）は植毛台にブリッスル束を入れる工程を示す工程図、（ｂ）はブリッスル束が挿入された植毛台に挿入栓を入れる工程を示す工程図、（ｃ）は固定部を成形する工程を示す工程図。
【図４】本発明の第２実施形態のブラシ体について、これを備える歯ブラシの断面構造を模式的に示す断面図。
【図５】同実施形態の歯ブラシの回路構成を示すブロック図。
【図６】同実施形態のブラシ体について、（ａ）はその断面構造を示す断面図、（ｂ）はブリッスル束の表方向の端部を示す拡大図、（ｃ）はブリッスル束の裏方向の端部を示す拡大図。
【図７】本発明の第３実施形態のブラシ体について、（ａ）はヘッド部の断面構造を示す断面図、（ｂ）は挿入栓の斜視構造を示す斜視図。
【図８】本発明の第４実施形態のブラシ体について、（ａ）はブラシ基台部の断面構造を示す断面図、（ｂ）はヘッド部の斜視構造を示す斜視図。
【図９】本発明のその他の実施形態のブラシ体について、ヘッド部の断面構造を示す断面図。
【図１０】本発明のその他の実施形態のブラシ体について、（ａ）はその断面構造を示す断面図、（ｂ）はブリッスル束の裏方向の端部周辺の拡大構造を示す断面図。
【図１１】本発明のその他の実施形態のブラシ体について、（ａ）はブリッスル束に導電性シートが取り付けられるときの様子を示す断面図、（ｂ）は導電性シートに挿入栓が取り付けられるときの様子を示す断面図、（ｃ）はブラシ体の断面構造を示す断面図。
【図１２】本発明のその他の実施形態のブラシ体について、（ａ）および（ｂ）は植毛台の断面構造を示す断面図。
【図１３】本発明のその他の実施形態のブラシ体について、（ａ）は挿入栓の斜視構造を示す斜視図、（ｂ）は植毛台の１つの挿入孔周辺の断面構造を示す断面図。
【図１４】本発明のその他の実施形態のブラシ体について、（ａ）は挿入栓の斜視構造を示す斜視図、（ｂ）は植毛台の１つの挿入孔周辺の断面構造を示す断面図。
【図１５】本発明のその他の実施形態のブラシ体について、（ａ）〜（ｅ）は挿入栓の斜視構造を示す斜視図。
【図１６】本発明のその他の実施形態のブラシ体について、挿入栓の断面構造を示す断面図。
【発明を実施するための形態】
【００１８】
（第１実施形態）
図１〜図３を参照して、本発明の第１実施形態について説明する。
図１に示すように、手歯ブラシ（以下、「歯ブラシ１」）は、使用者が把持可能なハンドル部１０と、使用者の歯面を刷掃するブラシヘッド部２０と、ハンドル部１０およびブラシヘッド部２０を連結するためのブラシネック部３０とを含む。なお、本実施形態では、ブラシヘッド部２０がブラシ体に相当する。
【００１９】
ブラシヘッド部２０には、複数のブリッスル束４１が設けられるブラシ基台部２１と、ブラシ基台部２１を固定する背面カバー２２とが設けられている。ここで、背面カバー２２、ハンドル部１０およびブラシネック部３０は、樹脂材料を射出成形することにより一体成形されている。
【００２０】
図２（ａ）に示すように、ブラシ基台部２１は、複数のブリッスル束４１と、各ブリッスル束４１が植毛される植毛台４２と、ブリッスル束４１を植毛台４２に保持するための挿入栓４３と、植毛台４２を裏方向から覆う固定部４４とを含む。固定部４４は、ブリッスル束４１および挿入栓４３を植毛台４２に固定している。
【００２１】
図２（ｂ）に示すように、ブリッスル束４１は、複数の直線状のブリッスル４１Ａにより構成されている。ブリッスル４１Ａは、ポリアミド系樹脂、ポリエステル系樹脂またはポリブチレンテレフタレート樹脂等の可撓性を有する樹脂材料により形成されている。
【００２２】
植毛台４２は、ＡＢＳ樹脂等の樹脂材料を射出成形することにより成形された平板形状の部材である。この植毛台４２には、歯ブラシ１の長手方向に沿った平面にて形成された植毛面４２Ａが設けられている。この植毛面４２Ａには、歯ブラシ１の短手方向に沿って植毛台４２を貫通する複数の挿入孔４２Ｂが設けられている。各挿入孔４２Ｂには、ブリッスル束４１が挿入されている。以降では、歯ブラシ１の短手方向を「挿入方向」とし、植毛面４２Ａからブリッスル束４１が突出する方向を「表方向」とし、その反対方向を「裏方向」とする。
【００２３】
挿入孔４２Ｂには、植毛面４２Ａから裏方向に向けて、かつ挿入方向に沿って形成されるストレート部４２Ｃと、ストレート部４２Ｃの裏方向の端部に連結されるとともに裏方向に向けて拡径するテーパ部４２Ｄとが設けられている。
【００２４】
ブリッスル束４１が植毛台４２に挿入された状態において、ブリッスル束４１の裏方向の端部は、植毛台４２よりも裏方向に向けて突出している。挿入栓４３は、ブリッスル束４１の裏方向の端部を介して挿入孔４２Ｂに挿入されている。このとき、挿入栓４３によりブリッスル束４１の裏方向の端部は、散開された状態、すなわち隣り合うブリッスル４１Ａが互いに離間した状態に変形する。挿入栓４３は、ポリアミド系樹脂等の樹脂材料を射出成形することにより、略円柱形状に成形されている。
【００２５】
図２（ｃ）に示すように、ブリッスル束４１は、挿入栓４３の外周面４３Ａと挿入孔４２Ｂを構成する内周面４２Ｅとの間で挟まれることにより植毛台４２に保持されている。挿入栓４３は、挿入孔４２Ｂの内周面４２Ｅの周面にわたり配列されたブリッスル束４１により形成された穴に圧入されている。これにより、ブリッスル束４１は、挿入栓４３の外周面４３Ａを取り囲むように配列されている。
【００２６】
挿入栓４３の外径は、挿入孔４２Ｂのストレート部４２Ｃの内径よりも小さい。これにより、ブリッスル束４１は、挿入孔４２Ｂのストレート部４２Ｃにおいても挿入栓４３により植毛台４２に保持されている。
【００２７】
図３を参照して、ブラシ基台部２１の製造方法について説明する。
図３（ａ）に示すように、植毛台４２の裏方向から各挿入孔４２Ｂに直線状のブリッスル束４１をそれぞれ挿入する。このとき、ブリッスル束４１の表方向の端部は、挿入孔４２Ｂのテーパ部４２Ｄに沿うように案内された後、ストレート部４２Ｃに挿入される。
【００２８】
ブリッスル束４１の外径は、挿入孔４２Ｂのストレート部４２Ｃの内径と略等しい。ブリッスル束４１は、挿入孔４２Ｂに挿入された状態においても直線状に維持されている。
そしてこの状態において、図３（ｂ）に示すように、挿入栓４３を植毛台４２の裏側から挿入する。このとき、ブリッスル束４１の裏方向の端部の中央部に挿入栓４３を裏方向から挿入する。これにより、ブリッスル束４１の裏方向の端部は互いに離間するように広がる。
【００２９】
そしてこの状態において、図３（ｃ）に示すように、金型５０に植毛台４２、ブリッスル束４１および挿入栓４３を組み合わせたユニットを配置し、ＡＢＳ樹脂等の樹脂材料を射出成形する。具体的には、金型５０のゲート部５１から上記ユニットを配置するとともに固定部４４（図２（ｂ）参照）を成形するための空間５２に樹脂材料を供給することにより、固定部４４を成形する。このとき、挿入孔４２Ｂのテーパ部４２Ｄ、ブリッスル束４１の各ブリッスル４１Ａの間に固定部４４が入り込むことにより、植毛台４２、全ブリッスル束４１および全挿入栓４３が固定部４４により固定される。
【００３０】
本実施形態によれば、以下の効果を奏することができる。
（１）本実施形態では、挿入栓４３の外周面４３Ａと植毛台４２の挿入孔４２Ｂの内周面４２Ｅとの間でブリッスル束４１を挟むことにより、ブリッスル束４１を植毛台４２に対して保持している。したがって、従来のブリッスル束の一端をヒータにより焼玉にて固定した状態で植毛台に固定する場合と比較して、焼玉成形のためのヒータの高精度な温度制御を省略することができる。その結果、上記従来の構成と比較して、ブラシ基台部２１の製造コストを低減することができる。
【００３１】
（２）本実施形態では、固定部４４によりブリッスル束４１が植毛台４２に保持された状態で固定されている。したがって、ブリッスル束４１が植毛台４２から抜けることを抑制することができる。
【００３２】
加えて、固定部４４により挿入栓４３がブリッスル束４１および挿入孔４２Ｂに挿入された状態で固定されている。したがって、挿入栓４３がブリッスル束４１および挿入孔４２Ｂの裏方向から抜けることを抑制することができる。
【００３３】
また、固定部４４とブリッスル束４１および挿入栓４３と植毛台４２とが一体成形されるため、植毛台４２とブリッスル束４１および挿入栓４３とをより一層抜けにくくすることができる。
【００３４】
ところで、直線状のブリッスル束４１を直線状のまま挿入孔４２Ｂに挿入する方法では以下の問題が生じる。すなわち、ブリッスル束４１の裏方向の端部は植毛台４２よりも裏方向に突出する高さにばらつきを生じる。そのため、植毛台４２にブリッスル束４１を保持した状態で背面カバー２２に取り付ける場合、予め設定した植毛面の位置に対して植毛面４２Ａが傾いた状態で取り付けられるおそれがある。
【００３５】
その点、本実施形態では、樹脂材料を射出成形することによりブリッスル束４１の裏方向の端部の全てを含むように固定部４４が形成される。この固定部４４の裏面は、金型成形されていることにより平面度が高いため、背面カバー２２にブラシ基台部２１を取り付けたときに植毛面４２Ａが傾くことを抑制することができる。加えて、固定部４４により挿入栓４３が表方向にさらに押圧されるため、植毛台４２にブリッスル束４１の固定がより強固なものとなる。
【００３６】
（３）本実施形態では、植毛台４２の挿入孔４２Ｂには、テーパ部４２Ｄが設けられている。これにより、ブリッスル束４１を挿入孔４２Ｂに挿入するときにテーパ部４２Ｄによりブリッスル束４１を案内することができるため、ブリッスル束４１を挿入孔４２Ｂに容易に挿入することができる。
【００３７】
（４）本実施形態では、植毛台４２の挿入孔４２Ｂには、ストレート部４２Ｃが設けられている。したがって、ブリッスル束４１が挿入孔４２Ｂに挿入されたとき、ブリッスル束４１のうちの植毛台４２の植毛面４２Ａから表方向に向けて突出する部位が互いに離間するように広がることを抑制することができる。
【００３８】
（第２実施形態）
図４〜図６を参照して、本発明の第２実施形態について説明する。本実施形態では、第１実施形態と比較して異なる部分について詳細に説明するとともに、同一構成には同一符号を付してその説明を省略する。
【００３９】
第１実施形態では、図１に示すように、手歯ブラシを構成している。これに対して本実施形態では、電動歯ブラシを構成している。
図４を参照して、電動歯ブラシ（以下、「歯ブラシ２」）は、使用者が把持可能な把持本体部７０の先端部にブラシ体６０を着脱可能に装着することができるものである。歯ブラシ２は、把持本体部７０に内蔵された振動アクチュエータ７２によって、ブラシ体６０を振動させることによりブラッシングを行うように構成されている。
【００４０】
把持本体部７０は、使用者の把持等を考慮した略円柱状に形成されている。把持本体部７０には、外側面に把持により接触する把持電極７１と、使用者が操作するためのスイッチ７６と、動作状態を示すＬＥＤ７７とが設けられている。把持本体部７０の内部には、振動アクチュエータ７２と、回路部７５に電力を供給する電池７４と、振動アクチュエータ７２への電力の供給等を制御する回路部７５とが設けられている。把持本体部７０の先端部は、振動アクチュエータ７２の出力シャフト７３が突出している。出力シャフト７３は、ブラシ体６０に挿入されている。
【００４１】
ブラシ体６０は、把持本体部７０に接続されるブラシ柄６２と、ブラシ柄６２と一体に形成されたヘッド部６１とを含む。
ヘッド部６１には、ブラシ基台部６１Ａが設けられている。ブラシ基台部６１Ａは、ブリッスル束６３が植毛される植毛台４２と、植毛台４２にブリッスル束６３を保持するための挿入栓４３と、植毛台４２にブリッスル束６３および挿入栓４３（図６参照）を固定する固定部６４とを含む。植毛台４２および挿入栓４３は、電気絶縁性の樹脂材料により構成されている。ブリッスル束６３は、カーボン含有の導電性材料により構成されている。固定部６４は、カーボン含有の導電性材料により構成されている。
【００４２】
ブラシ柄６２の内部には、固定部６４を把持本体部７０の出力シャフト７３に電気的に接続するための接続ターミナル６５と、出力シャフト７３を挿入するための空間としての挿入穴６６とが設けられている。
【００４３】
歯ブラシ２は、出力シャフト７３がブラシ体６０の挿入穴６６に挿入されることにより、ブラシ体６０が把持本体部７０に取り付けられる。このとき、固定部６４は接続ターミナル６５および出力シャフト７３を介して電池７４と電気的に接続される。
【００４４】
図５を参照して、歯ブラシ２の回路構成について説明する。
歯ブラシ２の回路部７５には、把持電極７１と電気的に接続された制御回路７５Ａと、制御回路７５Ａと電気的に接続された充電回路７５Ｂおよび電源回路７５Ｃとが設けられている。電源回路７５Ｃは、電池７４から電力が供給される。充電回路７５Ｂは、電池７４に電力を供給する。
【００４５】
使用者が歯ブラシ２を使用しているとき、使用者および歯ブラシ２により次の電気回路が構成される。すなわち、使用者の手に把持された把持本体部７０の把持電極７１、回路部７５の制御回路７５Ａ、出力シャフト７３、ブラシ体６０の接続ターミナル６５、固定部６４、ブリッスル束６３、口腔内の唾液、歯茎等の組織、および人体からなる電気回路が形成される。制御回路７５Ａが所定の大きさの直流電圧を印加しているとき、上記電気回路に電流が流れる。
【００４６】
図６を参照して、ブラシ体６０の詳細な構成について説明する。
図６（ａ）に示すように、植毛台４２の挿入孔４２Ｂ（図６（ｃ）参照）に挿入されたブリッスル束６３の裏方向の端部は、植毛台４２よりも裏方向に突出している。そしてブリッスル束６３の裏方向の端部は、挿入栓４３により植毛台４２に保持されるとともに固定部６４により一体成形されている。
【００４７】
図６（ｂ）に示すように、ブリッスル６３Ａはカーボン含有のポリアミド樹脂やカーボン含有のポリブチンテレフタレート樹脂等の可撓性を有する導電性樹脂により形成された芯部６３Ｂを有している。
【００４８】
芯部６３Ｂの周囲は被覆部６３Ｃにより覆われている。被覆部６３Ｃは、カーボンを含まないポリアミド樹脂やポリブチレンテレフタレート樹脂等の可撓性を有する電気絶縁性樹脂により形成されている。
【００４９】
芯部６３Ｂの挿入方向の両端部のそれぞれは、被覆部６３Ｃから突出している。すなわち、芯部６３Ｂの挿入方向の両端部の周囲は被覆部６３Ｃにより覆われていない。これにより、ブリッスル束６３が固定部６４と電気的に接続されている。
【００５０】
また、図６（ｃ）に示すように、ブリッスル束６３の裏方向の端部は、挿入栓４３により散開した状態、すなわち各ブリッスル６３Ａが互いに離間するように広がった状態となる。このとき、ブリッスル束６３および挿入栓４３を植毛台４２の挿入孔４２Ｂに挿入した状態において、ブリッスル６３Ａの裏方向の端部は、挿入栓４３の裏方向の端面よりも裏方向に突出している。
【００５１】
使用者が歯ブラシ２を使用しているとき、ブリッスル束６３の表方向の端部である芯部６３Ｂの周囲で口腔内液の電気分解が行われる。その結果、口腔内液に含まれる塩化物イオンから殺菌作用のある塩素が生成される。この芯部６３Ｂは被覆部６３Ｃよりも表方向に向けて突出するため、細菌が繁殖しやすい歯周ポケットといわれる歯と歯茎との間に入り込む。これにより、適量の塩素で集中的に殺菌が行われる。
【００５２】
また使用者が電解性の薬効成分を含む歯磨剤を用いて歯ブラシ２を使用しているとき、電流の作用によりイオンが口腔組織に引き寄せられる。このイオンが殺菌作用を有するときには、イオンにより口腔内が殺菌される。このような電解性の薬効成分としては、塩化セチルピリジニウムが例示できる。
【００５３】
本実施形態によれば、第１実施形態の効果（１）〜（４）に加え、以下の効果を奏することができる。
（５）本実施形態では、ブリッスル６３Ａの表方向の端部において被覆部６３Ｃよりも芯部６３Ｂが突出している。これにより、歯周ポケットに芯部６３Ｂが入り込んで殺菌することができる。
【００５４】
加えて、植毛面４２Ａよりも表方向に向けて突出するブリッスル６３Ａの先端部以外を被覆部６３Ｃにより覆われるため、無用な電流の拡散を抑制することができる。その結果、塩素生成の効率化を図ることができる。
【００５５】
（６）本実施形態では、歯ブラシ２の把持本体部７０には電池７４が内蔵されている。これにより、歯ブラシ２以外のところに設けられた電源装置からコードを介して歯ブラシ２に電力を供給する構成と比較して、歯ブラシ２の携帯性を向上させることができる。
【００５６】
加えて、電池７４は、振動アクチュエータ７２への電力供給とブリッスル束６３への電流供給とを兼ねている。したがって、振動アクチュエータ７２への電力供給のための専用の電池と、ブリッスル束６３への電流供給のための専用の電池とを各別に設ける構成と比較して、電池７４の数を減らすことができるとともに歯ブラシ２の小型化を図ることができる。
【００５７】
（７）本実施形態では、歯ブラシ２にヘッド部６１を振動させる振動アクチュエータ７２が設けられている。したがって、歯面の刷掃性の向上、また歯茎へのマッサージ効果を期待することのできる殺菌機能付きの歯ブラシとして提供することができる。
【００５８】
（８）本実施形態では、ブリッスル６３Ａの裏方向の端部において被覆部６３Ｃよりも芯部６３Ｂが突出している。これにより、固定部６４と芯部６３Ｂとが接触する確率が高くなるため、固定部６４と芯部６３Ｂとが好適に電気的に接続することができる。
【００５９】
（９）本実施形態では、ブリッスル束６３の裏方向の端部に挿入栓４３を挿入することにより、ブリッスル束６３の裏方向の端部は互いに離間するように広がる。したがって、ブリッスル束６３の隣り合うブリッスル６３Ａの芯部６３Ｂが互いに接触することを抑制することができる。これにより、隣り合う芯部６３Ｂの間にも固定部６４が介在するようになるため、ブリッスル束６３と固定部６４とが好適に電気的に接続することができる。
【００６０】
（１０）本実施形態では、ブリッスル束６３および挿入栓４３を植毛台４２の挿入孔４２Ｂに挿入した状態において、ブリッスル６３Ａの裏方向の端部の芯部６３Ｂが挿入栓４３の裏方向の端面よりも裏方向に突出している。したがって、挿入栓４３の外周面４３Ａと芯部６３Ｂとが互いに接触することを抑制することができる。これにより、ブリッスル束６３と固定部６４とが好適に電気的に接続することができる。
【００６１】
（第３実施形態）
図７を参照して、本発明の第３実施形態について説明する。本実施形態は、第１実施形態と異なるところを中心に説明するとともに、同一構成には同一符号を付し、その説明を省略する。
【００６２】
第１実施形態では、図２に示すように、挿入栓４３の表方向の端部が植毛台４２の植毛面４２Ａよりも裏方向に配置される構成である。これに対して本実施形態では、図７（ａ）に示すように、挿入栓４５の表方向の端部が植毛台４２の植毛面４２Ａよりも表方向に突出する構成である。
【００６３】
挿入栓４５は、ポリアミド系樹脂、ポリエステル系樹脂、ポリブチレンテレフタレート樹脂等の可撓性を有する樹脂材料、または天然ゴム、シリコンゴム、エラストマーなどの弾性材料により成形されている。
【００６４】
図７（ｂ）に示すように、挿入栓４５は、植毛台４２の挿入孔４２Ｂの内周面４２Ｅ（ともに図７（ａ）参照）との間でブリッスル束４１を保持するための基部４５Ａと、基部４５Ａの表方向の端部から表方向に向けて突出する突起部４５Ｂとが設けられている。基部４５Ａの外周面４５Ｃは、裏方向に向かうにつれて拡径する略円錐形状に形成されている。ここで、挿入栓４５の最大径である基部４５Ａの裏方向の端部の外径の大きさは、挿入孔４２Ｂのストレート部４２Ｃ（図７（ａ）参照）の内径よりも大きい。
【００６５】
突起部４５Ｂは、挿入方向に延びる円柱形状であるとともに、表方向の端部が表方向に向かうにつれて縮径する曲面形状に形成されている。この突起部４５Ｂは、ブリッスル束４１の表方向の端部よりも表方向に僅かに突出している。
【００６６】
本実施形態によれば、第１実施形態の効果（１）〜（４）に加え、以下の効果を奏することができる。
（１１）本実施形態では、挿入栓４５が植毛台４２の植毛面４２Ａよりも表方向に突出する構成である。したがって、歯ブラシ１のブラッシング時に挿入栓４５が例えば歯茎を刺激することにより、歯茎のマッサージ効果を期待することができる。また、挿入栓４５が歯面と接触することにより、歯面を刷掃することができる。
【００６７】
（１２）本実施形態では、挿入栓４５の基部４５Ａの外周面４５Ｃが裏方向に向かうにつれて拡径する略円錐形状に形成されている。これにより、挿入栓４５の外周面４５Ｃに沿ってブリッスル４１Ａが弾性変形するため、ブリッスル束４１の裏方向の端部が互いに離間するように広がりやすくなる。
【００６８】
加えて、挿入栓４５の最大径が挿入孔４２Ｂの最小径であるストレート部４２Ｃの内径よりも大きい。これにより、挿入栓４３が挿入孔４２Ｂを介して植毛台４２の表方向に抜け落ちることを抑制することができる。
【００６９】
（第４実施形態）
図８を参照して、本発明の第４実施形態について説明する。本実施形態は、第１実施形態と異なるところを中心に説明するとともに、同一構成には同一符号を付し、その説明を省略する。
【００７０】
第１実施形態では、図１に示すように、１つのブラシ基台部２１が背面カバー２２に固定される構成である。これに対して本実施形態では、複数のブラシ基台部８０が背面カバー２２に固定される構成である。
【００７１】
図８（ａ）に示すようにブラシ基台部８０は、植毛台８１と、４つのブリッスル束４１と、挿入栓４３と、固定部８２とを含む。植毛台８１は、ブリッスル束４１の外径に略等しい幅を有する長方形状の部材である。４つのブリッスル束４１は、長手方向に配列されるとともに挿入栓４３によって保持されている。そしてこの状態において、固定部８２は、樹脂材料を射出成形することにより植毛台８１にブリッスル束４１および挿入栓４３を固定している。なお、植毛台８１の挿入孔８３は、第１実施形態の植毛台４２の挿入孔４２Ｂと同一形状である。
【００７２】
図８（ｂ）に示すように、背面カバー２２には、４つのブラシ基台部８０が固定されている。このとき、長手方向と挿入方向との両方に直交した歯ブラシ１の幅方向において、４つのブラシ基台部８０が配列されている。
【００７３】
本実施形態によれば、第１実施形態の効果（１）〜（４）に加え、以下の効果を奏することができる。
（１３）歯ブラシ１の商品種類によって、ブリッスル束４１の数および配置が異なる場合がある。そのため、歯ブラシ１の商品毎に植毛台４２および背面カバー２２を個別の形状に成形する必要がある。これにより、歯ブラシ１の商品毎に、ブリッスル束４１を植毛台４２に挿入する第１工程、ブリッスル束４１を植毛台４２に固定する第２工程および植毛台４２を背面カバー２２に固定する第３工程を行う必要がある。
【００７４】
その点、本実施形態では、背面カバー２２に４つのブラシ基台部８０を固定している。これにより、異なる商品種類の歯ブラシに対してブラシ基台部８０の数や配置を変更することにより、各商品にブラシ基台部８０を適用している。すなわち、ブラシ基台部８０を共通部品として使用するため、上記第１工程および第２工程を省略することができる。したがって、異なる商品種類の歯ブラシ１に対して、歯ブラシ１を容易に製造することができる。
【００７５】
（その他の実施形態）
本発明のブラシ体およびこれを備える歯ブラシの具体的な構成は、上記各実施形態に限定されることなく、例えば以下の変更が可能である。また、以下の変形例は、上記各実施形態についてのみ適用されるものでなく、異なる変形例同士を互いに組み合わせて実施することもできる。
【００７６】
・第１実施形態では、図２に示すように固定部４４と背面カバー２２とが別体に設けられる構成であったが、図９に示すように固定部４４と背面カバー２２とを単一部材として一体成形することもできる。この場合、ハンドル部１０およびブラシネック部３０も固定部４４と一体成形される。
【００７７】
・また第４実施形態では、ブラシ基台部８０を背面カバー２２に取り付ける構成であったが、ブラシ基台部８０の構成および背面カバー２２への取り付け方法はこれに限られない。例えば、ブラシ基台部８０をブリッスル束４１、植毛台８１および挿入栓４３から構成されるとともに固定部８２を背面カバー２２と一体に成形することもできる。
【００７８】
・第２実施形態において、振動アクチュエータ７２を省略することもできる。
・第２実施形態において、把持本体部７０に内蔵された電池７４を省略することもできる。この場合、歯ブラシ２以外のところに設けられた電源装置から歯ブラシ２に電力が供給される。
【００７９】
・第２実施形態において、挿入栓４３を第３実施形態の挿入栓４５の構成に変更することもできる。すなわち、挿入栓４３の表方向の端部を植毛台４２の植毛面４２Ａよりも表方向に向けて突出する構成とすることもできる。
【００８０】
・第２実施形態において、ヘッド部６１に１以上のブラシ基台部８０を取り付けることもできる。この場合、各ブラシ基台部８０の固定部８２をカーボン含有の導電性材料により構成するとともに、接続ターミナル６５に電気的に接続する。
【００８１】
・第２実施形態において、固定部８２が導電性材料により成形されることにより、ブリッスル束６３が接続ターミナル６５に電気的に接続される構成であったが、ブリッスル束６３と接続ターミナル６５との電気的な接続の構成はこれに限られない。例えば、図１０（ａ）に示すように、接続ターミナル６５が各ブリッスル束６３に接触する構成とすることができる。
【００８２】
具体的には、図１０（ｂ）に示すように、接続ターミナル６５においてブリッスル束６３に対応するところには、全ブリッスル束６３を裏方向から覆う平板状の接続部６５Ａが設けられている。この場合、ブリッスル束６３の裏方向の端部が植毛台４２および挿入栓４３よりも裏方向に突出する構成とすることにより、ブリッスル束６３の裏方向の端部の芯部６３Ｂが接続部６５Ａとの接触により折り曲げられた状態となる。これにより、接続ターミナル６５に対して芯部６３Ｂが面接触することができる。これにより、芯部６３Ｂと接続ターミナル６５との電気的な接続が良好となる。また、上記接続部６５Ａは接続ターミナル６５と各別の部材として設けることもできる。
【００８３】
・第２実施形態において、固定部６４による接続ターミナル６５とブリッスル束６３との電気的な接続に代えて、導電性シート１００によって接続ターミナル６５とブリッスル束６３とを電気的に接続することもできる。
【００８４】
具体的には、図１１（ａ）に示すように、導電性シート１００は、例えば低硬度導電性シリコーンシートから構成されている。この導電性シート１００において植毛台４２の各挿入孔４２Ｂに対応するところには、シート基部１０１から表方向に向けて突出する円錐形状の突出部１０２が設けられている。
【００８５】
植毛台４２にブリッスル束６３が挿入された状態で保持台１１０に配置された状態において、ブリッスル束６３よりも裏方向から導電性シート１００を各挿入孔４２Ｂに挿入する。詳細には、ブリッスル束６３の裏方向の端部の中央部に突出部１０２が挿入される。これにより、図１１（ｂ）に示すように、ブリッスル束６３の裏方向の端部は散開した状態、すなわち隣り合うブリッスル６３Ａの裏方向の端部が互いに離間した状態に広がる。そしてこの状態において、挿入栓４３を導電性シート１００よりも裏方向から導電性シート１００に取り付ける。このとき、挿入栓４３は、表方向に向かうにつれて縮径する円錐形状に形成されている。これにより、図１１（ｃ）に示すように、ブリッスル束６３の裏方向の端部は、導電性シート１００の突出部１０２を介して挿入栓４３と挿入孔４２Ｂとの間に挟まれる。そしてブリッスル束６３は、植毛台４２に対して保持される。そして、この状態において、例えばブラシ柄６２を樹脂材料を射出成形することにより、植毛台４２、全ブリッスル束６３、全挿入栓４３および導電性シート１００と一体成形される。
【００８６】
この導電性シート１００のシート基部１０１の端部は、接続ターミナル６５と電気的に接続されている。これにより、ブリッスル束６３と接続ターミナル６５とは、導電性シート１００を介して電気的に接続されている。
【００８７】
・第３実施形態において、挿入栓４５の基部４５Ａの外周面４５Ｃが裏方向に向かうにつれて拡径する略円錐形状であったが、基部４５Ａの外周面４５Ｃが挿入方向に沿った円柱形状とすることもできる。
【００８８】
・第１〜第３実施形態では、植毛台４２の挿入孔４２Ｂには、ストレート部４２Ｃとテーパ部４２Ｄとが設けられる構成であったが、ストレート部４２Ｃを省略することもできる。この場合、図１２（ａ）に示すように、挿入孔４２Ｂはテーパ部４２Ｄから構成される。また、挿入孔４２Ｂからテーパ部４２Ｄを省略することもできる。この場合、図１２（ｂ）に示すように、挿入孔４２Ｂはストレート部４２Ｃから構成される。これは、第４実施形態の植毛台８１の挿入孔８３についても同様である。
【００８９】
・第１〜第３実施形態では、固定部４４がブリッスル束４１（ブリッスル束６３）の裏方向の端部および挿入栓４３の全体を植毛台４２に対して固定する構成であったが、固定部４４の構成はこれに限られない。例えば、ブリッスル束４１（ブリッスル束６３）の裏方向の端部の一部のみを樹脂材料を用いて射出成形することにより固定部４４を形成することもできる。これにより、ブリッスル束４１（ブリッスル束６３）が植毛台４２に対して抜けにくくすることができる。これは第４実施形態のブラシ基台部８０の固定部８２についても同様である。
【００９０】
・第１、第２および第４実施形態では、挿入栓４３が円柱形状であったが、挿入栓４３の形状はこれに限られない。例えば、図１３（ａ）に示すように、裏方向に向かうにつれて拡径する略円錐形状とすることもできる。このとき、図１３（ｂ）に示すように、ブリッスル束４１（ブリッスル束６３）の裏方向の端部が挿入栓４３の外周面に接触することより互いに離間するように広がる。すなわち、挿入栓４３が円柱形状の場合よりもブリッスル束４１（ブリッスル束６３）の裏方向の端部が広がりやすい。
【００９１】
・また、図１４（ａ）に示すように、挿入方向に沿って延びる円柱部４３Ｂと、円柱部４３Ｂの裏方向の端部から裏方向に向かうにつれて拡径する円錐部４３Ｃとを設けることもできる。なお、円柱部４３Ｂの外径は挿入孔４２Ｂのストレート部４２Ｃの内径よりも小さい。この場合、図１４（ｂ）に示すように、ブリッスル束４１は、円柱部４３Ｂの外周面と挿入孔４２Ｂのストレート部４２Ｃを構成する内周面との間で挟まれるとともに、円錐部４３Ｃの外周面と挿入孔４２Ｂのテーパ部４２Ｄを構成する内周面との間で挟まれる。
【００９２】
・また、上記例示に限られず、挿入栓４３を以下の形状とすることもできる。すなわち、図１５（ａ）に示すように、挿入栓４３を大径の円柱形状と小径の円柱形状とを組み合わせた形状とすることもできる。また図１５（ｂ）に示すように、挿入栓４３を先端部が尖った円錐形状とすることもできる。また図１５（ｃ）に示すように、挿入栓４３を先端部が尖った円錐形状と円柱形状とを組み合わせた形状とすることもできる。また図１５（ｄ）に示すように、挿入栓４３を略円柱形状に形成された基部４３Ｄと、この基部４３Ｄの外周面に設けられた溝部４３Ｅとが設けられる構成とすることもできる。この溝部４３Ｅには、ブリッスル４１Ａ（ブリッスル６１Ａ）が案内される。また図１５（ｅ）に示すように、大径の円錐形状と小径の円錐形状とを組み合わせた形状とすることもできる。
【００９３】
・第１〜第４実施形態において、固定部４４（固定部８２）が樹脂材料を射出成形することにより、植毛台４２、ブリッスル束４１（ブリッスル束６３）および挿入栓４３（挿入栓４５）と一体成形されたが、固定部４４（固定部８２）の構成はこれに限られない。例えば、予め固定部４４（固定部８２）を成形した後、植毛台４２にブリッスル束４１（ブリッスル束６３）および挿入栓４３（挿入栓４５）をそれぞれ保持したユニットと組み合わせることもできる。この場合、固定部４４（固定部８２）においてブリッスル束４１（ブリッスル束６３）が配置されるところには、ブリッスル束４１（ブリッスル束６１）の裏方向の端部を収容するための凹部が形成される。
【００９４】
・第１〜第４実施形態において、固定部４４（固定部８２）を省略することもできる。この場合、第１および第４実施形態では、背面カバー２２に対して植毛台４２、ブリッスル束４１および挿入栓４３が保持される。第２実施形態では、ヘッド部６１に対して植毛台４２、ブリッスル束６３および挿入栓４３が保持される。第３実施形態では、背面カバー２２に対して植毛台４２、ブリッスル束４１および挿入栓４５が保持される。
【００９５】
・上記各実施形態では、植毛台４２の各挿入孔４２Ｂに対して各別に成形された挿入栓４３（挿入栓４５）を挿入する構成であったが、挿入栓４３（挿入栓４５）の構成はこれに限られない。例えば、図１６に示すように、挿入栓９０として、平板状の基部９１と、挿入孔４２Ｂ（図２参照）に挿入される複数の栓部９２とを設ける構成とすることもできる。この場合、栓部９２は、各挿入孔４２Ｂに対応する位置に設けられる。この栓部９２の形状は、挿入栓４３（図２参照）の形状と同様である。また、栓部９２の形状を挿入栓４５（図７参照）の形状と同様とすることもできる。また、第４実施形態においては、ブラシ基台部８０に対応する挿入栓９０として設けることもできる。このとき、１つの挿入栓９０によって複数のブリッスル束４１（ブリッスル束６３）を植毛台４２（植毛台８１）に対して保持することができるため、歯ブラシ１，２の部品点数を少なくすることができる。これにより、製造コストの増大を抑制することができる。
【００９６】
・上記各実施形態では、ブラシヘッド部２０としてのブラシ体およびブラシ体６０を歯ブラシ１，２に適用したが、上記ブラシ体は例えば、ヘアブラシ等の他のものにも適用することができる。要するに、植毛台にブリッスル束が挿入されているブラシ体を有するものであれば、本発明を適用することができる。
【符号の説明】
【００９７】
１，２…歯ブラシ、２１…ブラシ基台部、２２…背面カバー、４１…ブリッスル束、４１Ａ…ブリッスル、４２…植毛台、４２Ａ…植毛面、４２Ｂ…挿入孔、４２Ｃ…ストレート部、４２Ｄ…テーパ部、４２Ｅ…内周面、４３…挿入栓、４４…固定部、４５…挿入栓、６０…ブラシ体、６１…ヘッド部、６１Ａ…ブラシ基台部、６３…ブリッスル束、６３Ａ…ブリッスル、６３Ｂ…芯部、６３Ｃ…被覆部、６４…固定部、７０…把持本体部、７２…振動アクチュエータ、７４…電池、８０…ブラシ基台部、８１…植毛台、８２…固定部、８３…挿入孔、９０…挿入栓。
【図１】
2012000150.tif 000003
【図２】
2012000150.tif 000004
【図３】
2012000150.tif 000005
【図４】
2012000150.tif 000006
【図５】
2012000150.tif 000007
【図６】
2012000150.tif 000008
【図７】
2012000150.tif 000009
【図８】
2012000150.tif 000010
【図９】
2012000150.tif 000011
【図１０】
2012000150.tif 000012
【図１１】
2012000150.tif 000013
【図１２】
2012000150.tif 000014
【図１３】
2012000150.tif 000015
【図１４】
2012000150.tif 000016
【図１５】
2012000150.tif 000017
【図１６】
2012000150.tif 000018